(57)【要約】      【課題】排水管の管内周壁に堆積し固着した汚物を簡単に除去することの出来る排水管の洗浄方法及び装置を提供する。      【解決手段】排水管２内に氷塊２１を侵入させる工程と、この排水管２内に侵入した氷塊２１を高圧の洗浄水３１により排水管２の下流へ搬送し、該氷塊２１により排水管２内に固着した汚物を剥離破壊する工程とにより、排水管内の洗浄を行うようにしたものである。  【選択図】  図２
2009011907.tif 000002
【特許請求の範囲】
【請求項１】
高圧の洗浄水を排水管内に噴射して該排水管内を洗浄するようにした排水管の洗浄方法において、
前記排水管内に氷塊を侵入させる工程と、
該排水管内に侵入した氷塊を前記高圧の洗浄水により前記排水管の下流へ搬送し、該氷塊により前記排水管内に固着した汚物を剥離破壊する工程と
を少なくとも具えたことを特徴とする排水管の洗浄方法。
【請求項２】
高圧の洗浄水を排水管内に噴射して該排水管内を洗浄するようにした排水管の洗浄装置において、
氷塊を収容し、該収容した氷塊を前記排水管内に落下させるホッパと、
前記排水管内に落下した氷塊を前記排水管内の下流へ搬送する洗浄水噴射手段と
を少なくとも具えたことを特徴とする排水管の洗浄装置。
【請求項３】
前記洗浄水噴射手段は、洗浄水を噴射する噴射ノズルからなることを特徴とする請求項２に記載の排水管の洗浄装置。
【発明の詳細な説明】
【技術分野】
【０００１】
この発明は、排水管の洗浄方法及び装置に関し、特に高層ビルの排水管を洗浄する排水管の洗浄方法及び装置に関する。
【背景技術】
【０００２】
近年は、特に都市部を中心に１０階以上の高層マンション等のビル群が数多く建設されている。
【０００３】
そして、これら高層ビル群の建設に伴い、その内部に配設された縦本管及び横本管等の各種の排水管の洗浄処理が特に重要視されている。
【０００４】
図６は、従来の排水管の洗浄方法を示す高層ビルの排水管の配管を示す概念図である。
【０００５】
この高層ビルの排水管は、垂直に配設された縦本管１とその下端に接続された横本管２とから構成され、これら縦本管１、横本管２の径は１０センチ以上の大径の排水管により構成されている。
【０００６】
このうち、従来では縦本管１及び横本管２の洗浄は、本願出願人が先に提出した旋回洗浄装置４（特開２００１−１７０５９１号参照）等により行われている。
【０００７】
即ち、縦本管１を洗浄する場合は、当該縦本管１の上端１ａに孔１ｂを穿設し、その中に高圧の洗浄水６を噴射する噴射ノズル７及び当該噴射ノズル７に高圧の洗浄水を供給する洗浄ホース８を挿入し、これにより、噴射ノズル７を一旦縦本管１の下端１ｃまで下降させる。
【０００８】
その後、旋回洗浄装置４により噴射ノズル７から洗浄水６を噴射させつつ、当該洗浄ノズル７を旋回洗浄装置４によりホース８を回転させながら上方に引き上げてノズル７を旋回させ、それによりその間に洗浄ノズル７を縦本管１の内周壁に沿って旋回させ、噴射ノズル７の先端から噴射された高圧の洗浄水６により縦管１内を洗浄するようにしている。
【０００９】
なお、この場合、噴射ノズル７の洗浄ホース８は、出来るだけ横本管２内に侵入しないよう、洗浄ホース８に横管侵入防止器具９を嵌挿させている。
【００１０】
その理由は、一旦洗浄ホース８を横本管２内に深く侵入させると、その排水管の折り曲げ部と洗浄ホース８との間の摺動抵抗が大きくなり、このため旋回洗浄装置４により、洗浄ホース８を引き上げることが困難となるからである。
【００１１】
一方、縦本管１内に流入した汚物は、重力の作用により下方へ落下するので、当該汚物は縦本管１内に堆積し難い傾向にあるが、縦本管１の下端１ｃに接続された横本管２は縦本管１から落下した汚物を略水平方向へ案内させることから、汚物が横本管２の管壁内周面に堆積し強固に付着し易い傾向にある。  
そのため、横本管２を洗浄するためには、横本管２の下流端２ａから、改めて上述した洗浄装置４の噴射ノズル７を挿入して洗浄するが、上述したように、横本管２内には汚物が管壁の内周面に堆積し強固に付着しているから、噴射ノズル７の先端から噴射された高圧の洗浄水６による一回の洗浄作業のみでは横本管２内に堆積した汚物を洗浄し難く、そのため横本管２を洗浄するためには、高圧の洗浄水６による洗浄作業を複数回繰り返すようにしていた。
【特許文献１】特開２００１−１７０５９１号
【発明の開示】
【発明が解決しようとする課題】
【００１２】
ところで、上述した従来の排水管の洗浄方法及び装置では、横本管２内には汚物が管壁の内周面に堆積し強固に付着しているから、噴射ノズル７の先端から噴射された高圧の洗浄水６のみでは横本管２内に堆積した汚物を簡単には洗浄し難く、そのため横本管２を洗浄するためには、高圧の洗浄水６による洗浄作業を複数回にわたって行うようにしており、このため横本管２の洗浄作業が煩雑で困難を極める問題点があった。
【００１３】
この発明は、上述した事情に鑑み、排水管の管内周壁に堆積し固着した汚物を簡単に除去することの出来る排水管の洗浄方法及び装置を提供することを目的とする。
【課題を解決するための手段】
【００１４】
上述した課題を解決するため、本願の第１の発明では、高圧の洗浄水を排水管内に噴射して該排水管内を洗浄するようにした排水管の洗浄方法において、前記排水管内に氷塊を侵入させる工程と、該排水管内に侵入した氷塊を前記高圧の洗浄水により前記排水管の下流へ搬送し、該氷塊により前記排水管内に固着した汚物を剥離破壊する工程とを少なくとも具えている。
【００１５】
また本願の第２の発明では、高圧の洗浄水を排水管内に噴射して該排水管内を洗浄するようにした排水管の洗浄装置において、氷塊を収容し、該収容した氷塊を前記排水管内に落下させるホッパと、前記排水管内に落下した氷塊を前記排水管内の下流へ搬送する洗浄水噴射手段と少なくとも具えている。
【発明の効果】
【００１６】
上述した排水管の洗浄方法及び装置によると、排水管内に侵入した氷塊を高圧な洗浄水の圧力により排水管の下流へ移動させるようにしたから、氷塊は高圧の洗浄水とともに大きなスピードで排水管内に堆積し固着した汚物と衝突する。そしてその衝突の際の破壊力により管壁に堆積し固着した汚物を強力に剥離破壊するとともに、その剥離破壊された汚物を氷塊が排水管の下流へ搬送し排出させることが出来る。
【００１７】
このため、排水管の管内周壁に堆積し固着した汚物の洗浄が洗浄水と氷塊とにより簡単に行うことが出来るとともに、氷塊は時間がたつと、水に変化するので、それを回収する必要もなく、排水管の洗浄作業が極めて簡単となる。
【発明を実施するための最良の形態】
【００１８】
以下、この発明に係る排水管の洗浄方法及び装置の一実施例を詳述する。
【００１９】
図１はこの発明に係る排水管の洗浄装置１０を示す概念図で図６と同一部分を同一符号で示す。
【００２０】
この排水管の洗浄装置１０（以下単に洗浄装置と言う）は、横本管２の上流端２ｂに接続部材１１を介して連結されている。
【００２１】
この洗浄装置１０は、横本管２の上流端２ａに接続された小径のパイプからなる断面積縮小部１２と、この縮小部１２に連接された大径のパイプからなる断面積拡大部１３とから構成され、この拡大部１３と縮小部１２との間は、漸次断面積が減少する接続部１４が連結されている。
【００２２】
一方、前記拡大部１３の中心には、先端に高圧水を前方へ噴射する円形の噴射孔１５が形成されたノズル１６が固定設置され、このノズル１６の後端には高圧の洗浄水を案内する洗浄ホース８が接続されている。
【００２３】
また、拡大部１３の周面には、外気を吸引する吸引孔１８が形成された吸引パイプ１９が植設されている。
【００２４】
一方、ノズル１６の下流に位置する縮小部１２の周面には、氷塊を収容するホッパ２０が配設され、該ホッパ２０内には、多数の氷塊２１が収容されている。  なお、この氷塊２１の大きさは、洗浄対象の汚物の大きさに対応して変化させるが、好ましくは直径約２乃至６ミリ程度のものであればよい。なお、図１で符号３０は、横本管２の内周壁に堆積し固着した汚物である。
【００２５】
次に上述した洗浄装置１０の作用を説明する。
【００２６】
図２で示すように、ノズル１６の噴射孔１５から高圧の洗浄水３１が噴射されると、当該洗浄水３１は勢い良く前方の横本管２内に侵入する。その際、拡大部１３に発生する負圧により、吸引孔１８らか外気３２が吸引され、この吸引された外気３２は、洗浄水３１の拡散を可及的に防止し、その直進性を可及的に維持する。
【００２７】
このように、直進性が可及的に維持された高圧の洗浄水３１はホッパ２０内から落下する氷塊２１を勢い良く横本管２内に搬送して、当該横本管２の周面に固着した汚物３０と衝突させる。
【００２８】
このように、高圧の洗浄水３１とともに氷塊２１が汚物３０と衝突すると、図３で示すように、当該汚物３０は、特に氷塊２１の衝突エネルギーにより管壁から剥離され、かつ氷塊２１により搬送されて横本管２の下流端２ａから迅速かつスムーズに排出される。
【００２９】
従って、上述した排水管の洗浄装置１０によると、横本管２内に侵入した氷塊２１を高圧の洗浄水３１により横本管２内に圧送させて移動させるようにしたから、氷塊２１は大きな横本管２内に堆積し固着した汚物３０と衝突し、その衝突の際の破壊力により横本管２の管壁に堆積し固着した汚物３０を強力に剥離破壊して、その剥離破壊された汚物３０を氷塊２１が横本管２の下流２ａへ搬送し排出させることが出来ることとなる。
【００３０】
このため、上述した洗浄装置１０では、横本管２の管内周壁に堆積し固着した汚物３０の洗浄を簡単に行うことが出来るとともに、氷塊２１は時間がたつと、水に変化するので、それを回収する必要もなく、排水管の洗浄作業が極めて簡単となる。
【００３１】
なお、上記実施例では、吸引孔１８らか外気３２を吸引するようにしたが、この発明は上記実施例に限定されることなく図１と同一部分を同一符号で示す図４のように、ノズル１６から噴射される洗浄水３１の噴射圧力が強く、あまりその拡散性が問題とならない場合は、上述した吸引孔１８を設けなくても良い。
【００３２】
また、上記実施例では、ノズル１６を配設する拡大部１３及び氷塊２１を予め収容するホッパ２０を縮小部１２に配設するようにしたが、この発明は上記実施例に限定されることなく、例えば図５で示すように、大径の横管４０の表面に孔４１を穿設し、この孔４１内からノズル１６を侵入させて配置するとともに、その下流の横管４０の周面に氷塊投入用の孔４２を穿設し、これにより、ノズル１６から洗浄水３１を噴射させるとともに、氷塊投入用の孔４２から氷解２１を投入し、これにより、高圧の洗浄水３１により氷塊２１を横管４０内に堆積し固着した汚物３０と衝突させて剥離破壊し、その剥離された汚物３０を氷塊２１とともに横管４０の下流から排出させるようにしても良い。
【００３３】
なお、上記実施例では、洗浄対象の管として横本管２を対象としたが、この発明は上記実施例に限定されることなく、縦管の洗浄に使用しても良く、排水管の配置対応に限定されることはない。
【産業上の利用可能性】
【００３４】
以上説明したように、この発明は、排水管内周壁に堆積し固着した汚物を簡単に除去することの出来るの排水管の洗浄方法及び装置に適している。
【図面の簡単な説明】
【００３５】
【図１】図１はこの発明に係る洗浄装置の概念図。
【図２】図２はこの発明に係る洗浄方法および装置の作用を示す図。
【図３】図３はこの発明に係る洗浄方法および装置の作用を示す図。
【図４】図４は、この発明に係る洗浄方法および装置の他の実施例を示す図。
【図５】図５は、この発明に係る洗浄方法および装置の他の実施例を示す図。
【図６】図６は、高層ビルの配管状態とその洗浄方法を示す図。
【符号の説明】
【００３６】
２…排水管（横本管）
１６…洗浄水噴射手段（ノズル）
２１…氷塊
２０…ホッパ
３１…洗浄水
【図１】
2009011907.tif 000003
【図２】
2009011907.tif 000004
【図３】
2009011907.tif 000005
【図４】
2009011907.tif 000006
【図５】
2009011907.tif 000007
【図６】
2009011907.tif 000008